(57)【要約】【課題】  シール部材を押さえるためのブッシュを有し、しかも、密封性に優れた配管構造を構成できるクイックコネクタを提供する。【解決手段】  Ｏリング４１を押えるためのブッシュ４３のブッシュ本体４５外周面に、周方向等間隔で４つの係合凹部５８を設けておく。ブッシュ４３をシール保持部１９内に嵌め込んでから、シール保持部１９の係合凹部５８と対応する個所を内側に突出変形させ、係合凹部５８内に入り込んで係合凹部５８と係合する係合突出部５９を形成する。【選択図】  図６
2006266475.tif 000002
【特許請求の範囲】
【請求項１】
軸方向一方側に、ホースと接続される接続部が形成された筒状のコネクタハウジングと、このコネクタハウジングの軸方向他方側に設けられたリテーナー手段と、前記コネクタハウジング内に配置された環状のシール部材と、このシール部材を押さえるように前記コネクタハウジング内に嵌め付けられた環状のブッシュと、を備え、パイプ体の挿入端部が挿入されたときに、この挿入端部に形成されている環状係合突部と前記リテーナー手段が抜け止め係合し、かつ、前記挿入端部と前記コネクタハウジングとの間が前記シール部材で密封されるクイックコネクタであって、
前記ブッシュの外周には、予め、係合凹部が形成されていて、
前記コネクタハウジングには、前記ブッシュの前記係合凹部と係合するように内側に突出した係合突出部が、前記ブッシュを嵌め込んでから形成されている、ことを特徴とするクイックコネクタ。
【請求項２】
前記コネクタハウジングは金属製である、ことを特徴とする請求項１記載のクイックコネクタ。
【請求項３】
前記係合突出部は、前記コネクタハウジングの壁部を外側から内側に凹ませることにより形成されている、ことを特徴とする請求項１又は２記載のクイックコネクタ。
【請求項４】
前記係合凹部は、前記ブッシュの外周に、周方向に間隔を有して複数形成されていて、
前記係合突出部は、前記コネクタハウジングに、前記係合凹部と対応し、周方向に間隔を有して複数形成されている、ことを特徴とする請求項１、２又は３記載のクイックコネクタ。
【発明の詳細な説明】
【技術分野】
【０００１】
本発明は、例えば自動車配管の連結に用いられるクイックコネクタに関する。
【背景技術】
【０００２】
パイプ体とホースとを連結することにより構成される流体配管構造には、パイプ体及びホースの連結用のコネクタが用いられる。このようなコネクタは、軸方向一方側に、ホースが接続される接続部が形成された筒状のコネクタハウジングを有していて、パイプ体とコネクタとの接続は、例えば、パイプ体の挿入側外周面に環状係合突部を形成して挿入端部を構成し、かつ、コネクタハウジングの軸方向他方側にスナップ係合用のリテーナー手段を設けてコネクタをクイック接続形式のものとしておき、パイプ体の挿入端部を軸方向他方側端開口からコネクタハウジング内に挿入して、リテーナー手段と環状係合突部とをスナップ係合させ、パイプ体とコネクタとを抜け止め状態とすることにより行われる。
【０００３】
コネクタハウジング内には、挿入されたパイプ体の挿入端部との間を密封するための環状のシール部材が配置されている。シール部材は、コネクタハウジングの内周面に形成された細幅の環状凹部内に嵌め込まれる場合もあるが、シール部材の嵌め付けを容易に行うことができるように、コネクタハウジングの内周面に軸方向端部が開放している収容凹部を形成しておき、この収容凹部内にシール部材を嵌めてから、開放側に環状のブッシュで蓋をしてシール部材を収容凹部内に閉じ込めるといった手段も採用されている（例えば特許文献１参照）。
【０００４】
【特許文献１】特開２００３−２９４１８４号公報
【発明の開示】
【発明が解決しようとする課題】
【０００５】
ところで、環状のブッシュを用いてシール部材を押さえる場合には、軸方向にずれないように、ブッシュをコネクタハウジング内に固定的に嵌め付けておくことが必要となる。ブッシュの固定的な嵌め付けは、特許文献１に記載されているように、ブッシュの外周面にブッシュ側凹凸形状を形成するとともに、コネクタハウジングの内周面に、ブッシュ側凹凸形状に対応するコネクタ側凹凸形状を形成しておき、ブッシュをコネクタハウジング内に圧入して、ブッシュ側凹凸形状とコネクタ側凹凸形状とを嵌め合わせることにより行われる。
【０００６】
しかしながら、このようなブッシュの固定方法では、ブッシュを圧入する際に、ブッシュ側凹凸形状やコネクタ側凹凸形状が削れてしまい、ブッシュの十分な固定強度を確保できず、使用中にブッシュが軸方向にずれてしまうおそれがある。そして、ブッシュが軸方向にずれると、シール部材に無理な変形が生じる可能性があり、コネクタハウジングとパイプ体との間の密封性が損なわれる。
【０００７】
そこで本発明は、シール部材を押さえるためのブッシュを有し、しかも、密封性に優れた配管構造を構成できるクイックコネクタの提供を目的とする。
【課題を解決するための手段】
【０００８】
この目的を達成するための本発明のクイックコネクタは、軸方向一方側に、ホースと接続される接続部が形成された筒状のコネクタハウジングと、このコネクタハウジングの軸方向他方側に設けられたリテーナー手段と、前記コネクタハウジング内に配置された環状のシール部材と、このシール部材を押さえるように前記コネクタハウジング内に嵌め付けられた環状のブッシュと、を備え、パイプ体の挿入端部が挿入されたときに、この挿入端部に形成されている環状係合突部と前記リテーナー手段が抜け止め係合し、かつ、前記挿入端部と前記コネクタハウジングとの間が前記シール部材で密封されるクイックコネクタであって、前記ブッシュの外周には、予め、係合凹部が形成されていて、前記コネクタハウジングには、前記ブッシュの前記係合凹部と係合するように内側に突出した係合突出部が、前記ブッシュを嵌め込んでから形成されているものである。ホースは、パイプ体と連結される相手側部材を広く含み、接続部は、パイプ体と連結される相手側部材の接続部を広く含んでいる。ブッシュの外周には、予め、すなわちコネクタハウジング内に嵌められる前に、係合凹部が形成されているが、コネクタハウジングには、ブッシュを嵌める際に、係合凹部と係合する突部は形成されていない。したがって、ブッシュのコネクタハウジング内への配置はスムーズに行われる。
【０００９】
ブッシュをコネクタハウジング内に配置してから、コネクタハウジングに内側に突出した係合突出部が形成される。この係合突出部は、ブッシュの係合凹部内に入り込んで係合凹部と係合するように形成される。例えば、コネクタハウジングの側壁を外側から内側に凹ませることにより、係合突出部を簡単に形成することができる。コネクタハウジングが金属製であれば、このような手段で係合突出部を形成することは容易である。係合突出部は、少なくともブッシュの軸方向へのズレ、すなわち軸方向一方側又は他方側へのズレを防止するように係合凹部と係合する。係合突出部はまた、ブッシュの軸方向一方側及び他方側のズレを防止するように係合凹部と係合することができる。係合突出部はさらに、ブッシュの軸方向及び周方向へのズレを防止するように係合凹部と係合することができる。係合突出部と係合凹部は、周方向一方側又は他方側へのズレ、あるいは周方向一方側及び他方側へのズレを防止するように係合する。
【００１０】
係合凹部は、ブッシュの外周に全周にわたって形成することができる。しかしながら、係合凹部を、ブッシュの外周に、周方向に間隔を有して複数形成し、係合突出部を、コネクタハウジングに、係合凹部と対応し、周方向に間隔を有して複数形成することもできる。このように構成することにより、係合突出部と係合凹部とを軸方向にも周方向にも簡単に係合させることができる。
【００１１】
本発明のクイックコネクタは、次のような方法により組み立てることができる。
軸方向一方側に、ホースと接続される接続部が形成された筒状のコネクタハウジングと、このコネクタハウジングの軸方向他方側に設けられたリテーナー手段と、前記コネクタハウジング内に配置された環状のシール部材と、このシール部材を押さえるように前記コネクタハウジング内に嵌め付けられた環状のブッシュと、を備え、パイプ体の挿入端部が挿入されたときに、この挿入端部に形成されている環状係合突部と前記リテーナー手段が抜け止め係合し、かつ、前記挿入端部と前記コネクタハウジングとの間が前記シール部材で密封されるクイックコネクタの製造方法であって、
前記シール部材が配置された前記コネクタハウジング内に、外周に係合凹部が形成されている前記ブッシュを嵌め込み、
前記ブッシュの前記係合凹部と係合するように、前記コネクタハウジングに内側に突出した係合突出部を形成する、クイックコネクタの製造方法。
【発明の効果】
【００１２】
以上説明したように、本発明によれば、ブッシュをコネクタハウジングに強固に固定でき、シール部材による安定した密封機能を確保できるクイックコネクタの提供が可能となる。
【発明を実施するための最良の形態】
【００１３】
以下、本発明の実施の形態を図面を参照して説明する。
【００１４】
図１は本発明に係るクイックコネクタの斜視図、図２はクイックコネクタの断面図、図３はクイックコネクタの別の断面図、図４はクイックコネクタの分解斜視図、図５はクイックコネクタの組み立て図である。
【００１５】
クイックコネクタ１は、例えば自動車の給排気配管の連結に使用されるものであり、特に図１乃至図３からよく理解できるように、筒状薄肉のコネクタハウジング３と、このコネクタハウジング３に取り付けられたコ字状又はほぼコ字状のワイヤリテーナー５と、を備えて構成されている。コネクタハウジング３は例えばアルミニウム等の金属製であり、軸方向一方側の円筒状のホース接続部７（接続部）と、軸方向他方側のほぼ円筒状のパイプ挿入部９とから一体的に構成されていて、大径のホースと大径のパイプ体とを連結するために、大径に、かつ、比較的短く形成されている。
【００１６】
ホース接続部７は、円筒状の接続部本体１１と、この接続部本体１１の軸方向一端部に一体的に形成された抜け止め部１３と、から構成され、抜け止め部１３は、軸方向一端から軸方向他方側に向かってテーパ状に拡径して、接続部本体１１よりも径方向外側に突出するように屈曲形成されている。抜け止め部１３の軸方向一端は、例えば接続部本体１１よりも小径に形成される。
【００１７】
パイプ挿入部９は、軸方向他方側のリテーナー取り付け部１５と、ホース接続部７が接続形成された軸方向一方側のパイプ支持部１７と、リテーナー取り付け部１５及びパイプ支持部１７の間に形成された軸方向中間のシール保持部１９と、から構成されていて、パイプ支持部１７は、シール保持部１９よりも小径で、ホース接続部７の接続部本体１１よりも大径に形成されている。
【００１８】
パイプ挿入部９の環状のリテーナー取り付け部１５は、シール保持部１９と同一径に、より具体的にはシール保持部１９の軸方向他方側と同一径に形成され、径方向対称位置に、薄肉円筒壁状の径方向外側壁部を有する取り付け用突出部２１、２１が設けられた構造を備えていて、一対の取り付け用突出部２１、２１のそれぞれは、ほぼ４分の１の円弧長さにわたって形成されている。ただし、取り付け用突出部２１は全周にわたって形成される場合もある。それぞれの取り付け用突出部２１の径方向外側壁部には、係合スリット２３が形成されているが、この係合スリット２３は、周方向一方側に形成された一方側スリット部２５と、周方向他方側に形成された、一方側スリット部２５に等しいあるいは対称である形状の他方側スリット部２７と、から構成されていて、一方側スリット部２５及び他方側スリット部２７は、一方側スリット部２５と他方側スリット部２７との間に、係合スリット２３の幅とほぼ等しい、又は係合スリット２３の幅よりも多少長い（例えばほぼ２倍長い）周方向幅を有する部分２９（分断部）が残るように形成されている。すなわち、係合スリット２３は、例えば周方向中央に位置する分断部２９によって、一方側スリット部２５と他方側スリット部２７とに区分されている。また、取り付け用突出部２１の幅（軸方向幅）は、係合スリット２３の幅（軸方向幅）のほぼ３倍あるいは３倍乃至４倍に設定されている。
【００１９】
取り付け用突出部２１の周方向一端壁部３１及び周方向他端壁部３３は、分断部２９同士を結んで軸心を通過する直線及び軸線と平行に広がるように、すなわちワイヤリテーナー５の取り付け方向と直交する方向に広がるように形成されている。また、取り付け用突出部２１の周方向一端壁部３１と一方側スリット部２５の周方向一端との間、および、取り付け用突出部２１の周方向他端壁部３３と他方側スリット部２７の周方向他端との間にはそれぞれ、係合スリット２３の幅のほぼ２倍の周方向間隔が設けられていて、取り付け用突出部２１の周方向一端部及び周方向他端部には、係合スリット２３の幅のほぼ２倍の周方向長さあるいは周方向幅を有する抜け止め壁部個所３５、３７が形成されている。
【００２０】
取り付け用突出部２１では、一方側スリット部２５の周方向一端部に軸方向一方側に短く延びるスリット状の一方側出入り口３８が形成され、また、他方側スリット部２７の周方向他端部にも軸方向一方側に短く延びるスリット状の他方側出入り口３９が形成されている。
【００２１】
なお、コネクタハウジング３のリテーナー取り付け部１５は、径方向反対側からでも、ワイヤリテーナー５を同様に取り付けることができるような対称形状に形成されている。
【００２２】
リテーナー取り付け部１５の軸方向他端（パイプ挿入部９又はコネクタハウジング３の軸方向他端）には、径方向外側に突出する外向きフランジ４０が一体的に設けられているが、この外向きフランジ４０は、取り付け用突出部２１の軸方向他端と一体的に形成されている。外向きフランジ４０は、円形の外縁を有しているが、一対の取り付け用突出部２１、２１の間に対応する部分では、外側が切り取られたように形成されていて、この部分の外縁は直線状に設定されている。
【００２３】
シール保持部１９の内周面には、軸方向一方側で、ゴム製のＯリング４１（シール部材）が嵌め込まれ、かつ、軸方向他方側で、環状体に形成されている例えばアルミニウム等の金属製のブッシュ４３が嵌め付けられていて、Ｏリング４１は、シール保持部１９の軸方向一端に形成された段差部分４４とブッシュ４３とに挟まれて軸方向に位置決めされている。シール保持部１９では、軸方向他方側は軸方向一方側よりも若干大径に形成されている。
【００２４】
クイックコネクタ１に用いられているブッシュ４３は、単純な環状のブッシュ本体４５の軸方向他方側に、パイプ体４７の環状係合突部４９（図７参照）を受け取るための受け取り部５１を一体的に有して形成されていて、受け取り部５１の内周面は、環状係合突部４９の軸方向一方側のテーパ状環状面と対応するように、軸方向他方側に向かって拡径するテーパ状に形成されている。受け取り部５１の径方向対称位置には、軸方向他方側に多少突出する閉塞部分５３が一体的に形成されていて、それぞれの閉塞部分５３は、取り付け用突出部２１に対応する周方向長さを有している。閉塞部分５３は、受け取り部５１の内周面を延長するようにして形成された内面を有し、取り付け用突出部２１、２１内に入り込んで、取り付け用突出部２１、２１の内周面又は内面と接触するように、ブッシュ本体４５及び受け取り部５１よりも径方向外側に突出して形成されていて、取り付け用突出部２１、２１の内周面又は内面に対応した外面を有しているが、取り付け用突出部２１内に入り込む部分の周方向中央個所（中間の個所）はそれぞれ、切り取られて通過部５５を形成している。したがって、ブッシュ４３をコネクタハウジング３に嵌め付けると、一方側スリット部２５の一方側出入り口３８及び他方側スリット部２７の他方側出入り口３９が、取り付け用突出部２１、２１の内周面又は内面と接触状態となっている閉塞部分５３の外周面又は外周で、全体的に又は部分的に塞がれるように構成されている。なお、通過部５５は、ワイヤリテーナー５の取り付け方向で一方側に多少偏って形成されているが（図９を参照すると、通過部５５は上側に偏って形成されている）、取り付け方向に対称に形成してもよい。
【００２５】
ブッシュ４３は、ブッシュ本体４５の軸方向一端外周が、シール保持部１９の軸方向中央に形成されている低い段差部５６と当接し、ブッシュ本体４５の外周面がシール保持部１９の内周面と接触状態となるように、シール保持部１９内に嵌め付けられている。ブッシュ本体４５の外周面５７には、周方向等間隔に４つの係合凹部５８が設けられていて、それぞれの係合凹部５８は、周方向に長い長方形であって、周方向端部が半円状となるように、かつ、断面矩形状となるように形成されている。
【００２６】
シール保持部１９には、ブッシュ本体４５の係合凹部５８位置で、内側に突出する係合突出部５９が周方向等間隔に４つ設けられていて、それぞれの係合突出部５９は、シール保持部１９の該当個所を外側から打ち込み加工することにより形成されている。係合突出部５９は、係合凹部５８内に入り込み、係合凹部５８と軸方向に係合するように形成されている。したがって、シール保持部１９に係合突出部５９を形成することにより、ブッシュ本体４５は、軸方向（特に軸方向他方側）に強固に位置決め固定されることとなる。係合突出部５９はまた、係合凹部５８と周方向に係合するように形成されている。
【００２７】
ワイヤリテーナー５は、連結部６０と、この連結部６０の両側（幅方向両側又は幅方向両端）からそれぞれ、互いに平行状態で直線状に延びる一対の長い係合アーム６１、６１と、を具備するように屈曲形成された例えば金属製の線材で構成され、連結部６０は、肩部６２、６２を両側に有し、この肩部６２、６２の間で、外側に膨出するコ字状の指掛け部６３を備えている。肩部６２はそれぞれ、係合アーム６１を開きやすくするための、係合アーム６１側の肩部本体６５と、指掛け部６３側のストッパ部６６と、から構成され、それぞれのストッパ部６６は、指掛け部６３の幅方向の端あるいは端部から真横外側、すなわち係合アーム６１の延びる方向又はワイヤリテーナー５の取り付け方向と直交して外側に向う方向を向くまで、円弧状に湾曲し、内側に凸となって延びるように形成されていて、肩部本体６５は、周方向一方側の抜け止め壁部個所３５と対応するように傾斜し、かつ、抜け止め壁部個所３５の周方向長さと同一又はほぼ同一の長さを有している。
【００２８】
一対の係合アーム６１、６１は、肩部６２又は肩部本体６５の先端（指掛け部６３と反対側端）から直線状に延びる長いアーム本体部６７と、このアーム本体部６７の先端（自由側端）に、内側に屈曲して一体的に形成された抜け止め係合部７１と、から構成されている。係合アーム６１の抜け止め係合部７１は、取り付け用突出部２１の周方向他方側の抜け止め壁部個所３７と対応するように傾斜し、かつ、抜け止め壁部個所３７の周方向長さと同一又はほぼ同一の長さに形成されて内側に屈曲している係合本体部７３と、この係合本体部７３の先端に、軸方向一方側に屈曲して一体的に形成された軸方向一方側（ほぼ軸方向一方側）に延びる軸方向部７５と、を備えていて、それぞれの抜け止め係合部７１、７１の係合本体部７３、７３が周方向他方側の抜け止め壁部個所３７、３７と、この抜け止め壁部個所３７、３７外面に沿って、あるいは沿うようにして接触し、係合するように形成されている。
【００２９】
アーム本体部６７の長さは、係合スリット２３とほぼ等しく、すなわち一方側スリット部２５の周方向一端及び他方側スリット部２７の周方向他端の間隔とほぼ等しく設定されている。また、アーム本体部６７、６７の間隔は、パイプ支持部１７の内径あるいはブッシュ４３のブッシュ本体４５の内径又はパイプ体４７の外径とほぼ等しくなるように設定されている。
【００３０】
このような構成のクイックコネクタ１を組み立てるには、まず、ワイヤリテーナー５を一方側スリット部２５側からコネクタハウジング３に取り付ける。ワイヤリテーナー５の取り付けは、抜け止め係合部７１の軸方向部７５を、一方側スリット部２５の一方側出入り口３８からコネクタハウジング３内に差し込み、他方側スリット部２７の他方側出入り口３９から外側に突出させる。そうすると、ワイヤリテーナー５は、それぞれの肩部本体６５、６５が取り付け用突出部２１、２１の周方向一方側の抜け止め壁部個所３５、３５と、この抜け止め壁部個所３５、３５外面に沿って、あるいは沿うようにして接触し、かつ、それぞれのストッパ部６６、６６が取り付け用突出部２１、２１の周方向一方側端壁部３１、３１と当接し、しかも、それぞれの抜け止め係合部７１、７１又は係合本体部７３、７３が取り付け用突出部２１、２１の周方向他方側の抜け止め壁部個所３７、３７と、この抜け止め壁部個所３７、３７外面に沿って、あるいは沿うようにして接触し、係合して、コネクタハウジング３のリテーナー取り付け部１５に取り付けられることとなる。なお、肩部本体６５を取り付け用突出部２１の周方向一方側の抜け止め壁部個所３５から浮き上がらせるように形成してもよい。軸方向部７５を、他方側スリット部２７の他方側出入り口３９から外側に突出させ、抜け止め係合部７１又は係合本体部７３を抜け止め壁部個所３７に係合させるには、軸方向部７５が他方側スリット部２７の周方向他方側端に近づいた時点で係合アーム６１の差し込みを中断し、係合アーム６１を、例えば軸方向部７５が他方側出入り口３９に位置することとなるように、外側に弾性変形させてから係合アーム６１の差し込みを再開すればよい。そうすると、軸方向部７５は他方側スリット部２７から抜け、係合本体部７３も他方側スリット部２７から抜け出て、抜け止め壁部個所３７と引き抜き方向に係合する（引き抜き抵抗を作用させるように係合する）こととなる。このようにして、ワイヤリテーナー５は、ストッパ部６６、６６が取り付け用突出部２１、２１の周方向一方側端壁部３１、３１と差し込み方向に係合し（差し込み抵抗を作用させるように係合し）、抜け止め係合部７１、７１が取り付け用突出部２１、２１と引き抜き方向に係合した状態で、一対の係合アーム６１、６１によりリテーナー取り付け部１５を挟み込んでクイックコネクタ１に取り付けられることとなる。一対の係合アーム６１、６１は、係合スリット２３、２３からコネクタハウジング３内にアーム本体部６７を突出させて入り込んでいる。ここでは、ストッパ部６６、６６と取り付け用突出部２１、２１の周方向一方側端壁部３１、３１との当接により、ワイヤリテーナー５を、この取り付け位置で、さらに押し込んでも、一対の係合アーム６１、６１はパイプ体４７の環状係合突部４９を通過させるように開くことはない。
【００３１】
一方側スリット部２５の周方向一端同士の間隔及び他方側スリット部２７の周方向他端同士の間隔は等しく、パイプ体４７の外径（環状係合突部４９以外の部分の外径）とほぼ等しくなるように設定されているので、ワイヤリテーナー５は、一対の係合アーム６１、６１が、より具体的には一対のアーム本体部６７、６７が広がることなく互いに平行に延びている状態で、リテーナー取り付け部１５に取り付けられる。
【００３２】
そして、図４に示されているように、軸方向部７５が他方側出入り口３９内に入り込む直前まで、ワイヤリテーナー５を退避方向に移動させた状態で、ブッシュ４３をコネクタハウジング３内に押し込む。ワイヤリテーナー５のアーム本体部６７、６７の間隔、あるいは、コネクタハウジング３内に突出しているアーム本体部６７、６７部分の間隔は、ブッシュ４３の通過部５５、５５の間隔とほぼ等しいように、あるいは通過部５５、５５の間隔よりも多少大きくなるように広がっているので（ブッシュ本体４５の外縁にかぶさらないようにあるいはオーバーラップしないように広がっているので）、すなわち、係合アーム６１，６１又はアーム本体部６７、６７が、ブッシュ４３の通過を許容するように開いているので、あるいは、係合アーム６１，６１又はアーム本体部６７、６７が、ブッシュ４３の通過部５５、５５及びブッシュ本体４５の通過を許容するように開いているので、ブッシュ４３を、ワイヤリテーナー５を通過させて、シール保持部１９内に嵌め込むことができる。ブッシュ４３の閉塞部５３は、例えば部分的に、一方側出入り口３８及び他方側出入り口３９を塞いでいるので、クイックコネクタ１では、ブッシュ４３をコネクタハウジング３から取り外さない限り、ワイヤリテーナー５がコネクタハウジング３から外れるといったことはない。
【００３３】
ブッシュ４３を、段差部５６と当接するまでシール保持部１９内に押し込んだら（図６ａ参照）、コネクタハウジング３又はシール保持部１９の、ブッシュ４３の係合凹部５８と対応する個所７６を、打ち込み工具（図示せず）を用いて内側に凹ますことにより、係合突出部５９を形成する（図６ｂ参照）。ブッシュ４３の係合凹部５８は、当初、断面矩形状であるが、シール保持部１９が断面半円形状に凹まされるので、係合突出部５９は係合凹部５８内に入り込みながら、断面半円形状に変形して形成されていくこととなり、したがって、係合凹部５８も係合突出部５９に対応して断面半円形状に変形させられる。そして、係合凹部５８と係合突出部５９とは断面において隙間なく密着して係合することとなる。また、係合突出部５９は、係合凹部５８内に周方向全長にわたって入り込むこととなる。このようにして、係合凹部５８と係合突出部５９とは、軸方向にも周方向にも遊びのない状態で係合する。なお、加工性の観点から、係合凹部を閉塞部分５３の外面（通過部５５以外の外面）に形成し（符号５８Ａ参照）、係合突出部を形成する個所を、取り付け用突出部２１の抜け止め壁部個所３５及び／又は３７に位置させてもよい（符号７６Ａ参照）。
【００３４】
図７はクイックコネクタ１にゴム製のホース及びパイプ体４７を接続した状態を示す軸方向に沿った断面図、図８はクイックコネクタ１にパイプ体４７を接続した状態を示す径方向に沿った断面図である。
【００３５】
ゴム製のホース７７は、先端又は軸方向他端が、パイプ支持部１７の軸方向一端に形成された段差部分７９に接近するように、ホース接続部７の外周に嵌め付けられ、かつ、締め付けバンド８１により接続部本体１１に締め付けられていて、十分な抜け止め状態でクイックコネクタ１に接続されている。なお、締め付けバンド８１はネジ式であるが、バネ式のものを用いることもできる。さらに、バンドにかえてリングをかしめてホース７７の抜け止めを行なうこともできる。
【００３６】
クイックコネクタ１にリテーナー取り付け部１５の軸方向他端開口８３から挿入されて嵌め付けられたパイプ体４７は、例えば金属製であり、軸方向一方側が、環状係合突部４９を外周面に有する挿入端部８５として構成された形式のものである。ここでは、環状係合突部４９の軸方向一方側環状面は軸方向他方側に向って拡径するテーパ状に形成されている。パイプ体４７は、環状係合突部４９の軸方向一方側環状面がワイヤリテーナー５のアーム本体部６７、６７の間隔を押し広げながら相対的に進行し（図８の係合アーム６１の仮想線表示参照）、ブッシュ４３の受け取り部５１内周面に当接して収容され、挿入端部８５が全長にわたってコネクタハウジング３のパイプ挿入部９内に挿入されるまで、クイックコネクタ１あるいはコネクタハウジング３に押し込まれている。環状係合突部４９の軸方向他方側環状面８６は、径方向又は軸直角方向に広がるように形成されているが、環状係合突部４９の軸方向一方側環状面がブッシュ４３の受け取り部５１内周面に当接したときには、係合スリット２３の軸方向一端８７と軸方向位置において一致又はほぼ一致しているので、ワイヤリテーナー５のアーム本体部６７、６７は、パイプ体４７がコネクタハウジング３のパイプ挿入部９内に正常に挿入された状態となると、弾性復帰力によりスナップ的に平行状態に復帰し、パイプ体４７を抜け止めするように環状係合突部４９あるいは環状係合突部４９の軸方向他方側環状面８６とスナップ係合する。
【００３７】
パイプ体４７の挿入端部８５の軸方向一端は、Ｏリング４１を通過してパイプ支持部１７内に達していて、パイプ体４７あるいはパイプ体４７の挿入端部８５とクイックコネクタ１又はコネクタハウジング３との間はＯリング４１により密封され、また、パイプ体４１の挿入端部８５の環状係合突部４９よりも軸方向一方側は、パイプ支持部１７及びブッシュ４３により、径方向にガタが生じないように支持されている。なお、パイプ体４７の環状係合突部４９を係合アーム６１、６１あるいはアーム本体部６７、６７と確実にスナップ係合させるために、また、係合アーム６１又はアーム本体部６７のスナップ動作が環状係合突部４９との摺動により鈍くならないように、環状係合突部４９の軸方向一方側環状面がブッシュ４３に収容されたとき、環状係合突部４９の軸方向他方側環状面が、係合スリット２３の軸方向一端８７よりも若干軸方向一方側に位置することとなるように構成しておいてもよい。
【００３８】
図９はクイックコネクタ１のワイヤリテーナー５の操作方法を説明するための図である。
【００３９】
パイプ体４７をクイックコネクタ１から外すときは、取り付け位置（図８に示す位置）に保持されているワイヤリテーナー５の指掛け部６３に、例えば指を掛けて、引っ張り力（退避力）を作用させる（図８の矢印Ａ参照）。そうすると、ワイヤリテーナー５は、それぞれの係合アーム６１の係合本体部７３を、取り付け用突出部２１の周方向他方側の抜け止め壁部個所３７外面上で他方側スリット部２７に向けてスライドさせながら、退避方向に移動し、係合アーム６１、６１が徐々に開いていく。そして、ワイヤリテーナー５を引っ張り続けると、アーム本体部６７が分断部２９に当接して強く押し付けられ、ワイヤリテーナー５をその位置（図９に示す退避位置）を越えて退避方向に移動させることができなくなるが、この状態（退避状態）では、係合アーム６１、６１は、パイプ体４７の環状係合突部４９が通過できる程度に開いている。ここでは、軸方向部７５は、取り付け用突出部２１の周方向他方側の抜け止め壁部個所３７外面から若干浮き上がるように形成されているが（より具体的には、軸方向部７５の屈曲開始端は抜け止め壁部個所３７外面と接触、係合及びスライドする場合がある）、軸方向部７５全体が抜け止め壁部個所３７外面上をスライドするように構成してもよい。
【００４０】
また、この退避状態では、抜け止め係合部７１の係合本体部７３の先端は、抜け止め壁部個所３７から外れて他方側スリット部２７内に落ち込みあるいは落ち込むような状態となっている。他方側出入り口３９は、ブッシュ４３の閉塞部分５３の外周面又は外面によって、例えば部分的に塞がれているので、軸方向部７５がコネクタハウジング３内に入り込んでしまうといったことはないが、軸方向部７５（軸方向部７５の屈曲開始端又は屈曲開始端側）は他方側スリット部２７の他方側出入り口３９の周方向他端又は他方側スリット部２７の周方向他端と取り付け方向に係合している（軸方向部７５は、例えば、先端に向かって外側に傾斜している）。したがって、ワイヤリテーナー５から退避力を解除しても、ワイヤリテーナー５は、退避状態に保持される。そして、退避状態のワイヤリテーナー５を取り付け位置に復帰させるためには、ワイヤリテーナー５を取り付け方向に強く押して、抜け止め係合部７１の軸方向部７５を他方側スリット部２７及び他方側出入り口３９又は他方側スリット部２７から抜け止め壁部個所３７外面上又は方向に押し出す。あるいは、軸方向部７５を外側に移動させ、抜け止め係合部７１の係合部本体７３の先端を他方側スリット部２７から抜け止め壁部個所３７外面上に押し出す。ワイヤリテーナー５は、係合アーム６１、６１の平行に戻ろうとする弾性復帰力により、スムーズに取り付け位置まで移動する。
【産業上の利用可能性】
【００４１】
本発明のクイックコネクタは、自動車配管等で、パイプ体に対する優れた密封性を有して、ホースとパイプ体とを連結する。
【図面の簡単な説明】
【００４２】
【図１】本発明に係るクイックコネクタの斜視図である。
【図２】クイックコネクタの断面図である。
【図３】クイックコネクタの別の断面図である。
【図４】クイックコネクタの分解斜視図である。
【図５】クイックコネクタの組み立て図である。
【図６】係合凹部と係合突出部との係合過程を示す図である。
【図７】クイックコネクタにゴム製のホース及びパイプ体を接続した状態を示す軸方向に沿った断面図である。
【図８】クイックコネクタにパイプ体を接続した状態を示す径方向に沿った断面図である。
【図９】クイックコネクタのワイヤリテーナーの動きを説明するための図である。
【符号の説明】
【００４３】
１                                  クイックコネクタ
３                                  コネクタハウジング
５                                  ワイヤリテーナー（リテーナー手段）
７                                  ホース接続部（接続部）
４１                                Ｏリング（シール部材）
４７                                パイプ体
４９                                環状係合突部
４３                                ブッシュ
５８                                係合凹部
５９                                係合突出部
【図１】
2006266475.tif 000003
【図２】
2006266475.tif 000004
【図３】
2006266475.tif 000005
【図４】
2006266475.tif 000006
【図５】
2006266475.tif 000007
【図６】
2006266475.tif 000008
【図７】
2006266475.tif 000009
【図８】
2006266475.tif 000010
【図９】
2006266475.tif 000011